(57)【要約】【課題】当たり状態にある遊技機の近傍の遊技機の使用が促されるようにし、遊技場の稼働率の向上をはかる。【解決手段】複数の遊技台１０（パチンコ機１）と各遊技台１０に対応する台間機２とを交互に配置した構成の島９において、各遊技台１０は、それぞれ左隣の台間機２からの貸出指示に応じてパチンコ球の払出を行うように設定される。各遊技台１０の外部端子板から出力された大当たり信号は右隣の台間機２に入力される。台間機２は、大当たり信号がオン状態になると、その時点から所定期間の間、カードの投入または貸出スイッチ１６の操作に応じて、貸し出されるパチンコ球が通常よりも多い特別貸出を実行する。【選択図】図２
2007282924.tif 000002
【特許請求の範囲】
【請求項１】
遊技場内の特定の遊技台の近傍に設置され、遊技者の貸出指示操作に応じて前記特定の遊技台で使用するための遊技媒体の貸出処理を行う遊技媒体貸出装置において、
前記特定の遊技台以外の遊技台であって自装置の近傍に設置されている遊技台から、その遊技台が当たり状態にあることを示す当たり状態信号を受け付ける信号入力手段と、
前記信号入力手段が当たり状態信号を受け付けてから所定時間以内に前記貸出指示操作を受け付けたとき、前記遊技媒体の貸出処理に加えて、遊技者に所定の特典を付与するための制御を実行する制御手段とを、具備することを特徴とする遊技媒体貸出装置。
【請求項２】
遊技場内に配備される複数の遊技台と、これらの遊技台毎に対応づけられた複数の遊技媒体貸出装置とを備え、各遊技媒体貸出装置は、それぞれ対応する遊技台の近傍に設置され、遊技者の貸出指示操作に応じて前記対応する遊技台で使用するための遊技媒体の貸出処理を行うシステムにおいて、
各遊技台には、それぞれ自装置が当たり状態にあることを示す当たり状態信号を出力する信号出力手段が設けられており、
各遊技台からの当たり状態信号は、それぞれその遊技台には対応しないが当該遊技台の近傍に設置されている少なくとも１台の遊技媒体貸出装置に入力され、
各遊技媒体貸出装置は、前記当たり状態信号を受け付ける信号入力手段と、前記信号入力手段が当たり状態信号を受け付けてから所定時間以内に前記遊技者の貸出指示操作を受け付けたとき、遊技者に所定の特典を付与するための制御を実行する特典付与手段とを、それぞれ具備することを特徴とする遊技場システム。
【請求項３】
遊技場内に配備される複数の遊技台と、これらの遊技台毎に対応づけられた複数の遊技媒体貸出装置と、管理装置とを備え、各遊技媒体貸出装置は、それぞれ対応する遊技台の近傍に設置され、遊技者の貸出指示操作に応じて前記対応する遊技台で使用するための遊技媒体の貸出処理を行うシステムにおいて、
各遊技台には、それぞれ自装置が当たり状態にあることを示す当たり状態信号を出力する信号出力手段が設けられており、
各遊技台からの当たり状態信号はそれぞれ前記管理装置に入力されており、
前記管理装置は、いずれかの遊技台から前記当たり状態信号を受け付たとき、その遊技台には対応しないが当該遊技台の近傍に設置されている少なくとも１台の遊技媒体貸出装置に、特典の付与を求める要求信号を送信し、
各遊技媒体貸出装置は、前記管理装置からの要求信号を受け付ける信号入力手段と、前記信号入力手段が前記要求信号を受け付けてから所定時間以内に前記遊技者による貸出指示がなされたとき、前記遊技者に所定の特典を付与するための制御を実行する特典付与手段とを、それぞれ具備することを特徴とする遊技場システム。
【発明の詳細な説明】
【技術分野】
【０００１】
この発明は、パチンコ機やスロットマシンなどの遊技台の近傍に配置され、これらの遊技台を使用する遊技者に遊技媒体を貸し出すための遊技媒体貸出装置、およびこの遊技媒体貸出装置を含む遊技場システムに関する。
【背景技術】
【０００２】
パチンコホール内の「島」は、一般に、複数の遊技台を、それぞれ「台間機」と呼ばれる幅狭の遊技媒体貸出装置を間に挟んで一列に並べて構成される。
また近年では、磁気カードやＩＣカードなどのカード状の記憶媒体（以下、単に「カード」という。）を受け付けて、そのカードに記録された度数データを引き落とし、その度数データ分の遊技媒体の貸出を行うタイプの台間機が普及している。この種の台間機は、両側の遊技台のいずれか一方に電気接続されており、その接続された遊技台に、遊技媒体の払出を要求する信号を送信することにより、遊技媒体の貸出が行われるようにしている（特許文献１参照。）。
【０００３】
【特許文献１】特許  第３２０５２７０号  公報
【０００４】
つぎに、パチンコホール内の遊技台は、パチンコ機やスロットマシンなどの遊技機により構成されるが、これらの遊技機では、各種の「当たり状態」について抽選を行い、その抽選結果に基づいてゲームの制御を行っている。このため、従来では、抽選に当選しない限り、遊技者に大きな特典が付与されることはなかった。しかし、近年では、所定の遊技台で大当たりが発生したときに、他の遊技者にもこれに付随した特典が付与されるようにして、遊技者の期待度を高めることが提案されている（特許文献２，３参照）。
【０００５】
【特許文献２】特開平１１−１６９５４４号  公報
【特許文献３】特開２００４−３３７２９５号  公報
【発明の開示】
【発明が解決しようとする課題】
【０００６】
遊技者であれば、誰しも、大当たりを引き当てることを願うが、大当たりへの当選確率は決して高いとは言えず、遊技媒体を大幅に増やせない状態が長期間続くことも多い。このように「当たり」にならない状態が長く続き、焦燥感を覚えているようなときに、隣の遊技者が大当たりを引き当てて喜んでいると、くやしい思いが引き起こされ、ゲームを続行する意欲がなくなってしまう可能性がある。また、大当たりが発生している遊技台の隣が空いている場合には、心理的にその空いている遊技台を使用しにくい状態になる。
【０００７】
上記のように、大当たりが発生した遊技台の近くにある遊技台の使用が敬遠されたり、早期に使用が打ち切られると、遊技場側にとっては、大当たりによる損失に加え、稼働率の低下による損失が生じる可能性がある。このような状態は、ホールの経営上望ましいことではない。
この発明は、この点に着目し、ある遊技媒体貸出装置の近傍にある２台の遊技台について、一方の遊技台が当たり状態となったときに、これに付随して、他方の遊技台を使用する遊技者に何らかの特典が付与されるようにすることにより、当たり状態にある遊技台の近傍の遊技台の使用を促し、もって遊技場の稼働率の向上をはかることを目的とする。
【課題を解決するための手段】
【０００８】
この発明にかかる遊技媒体貸出装置は、遊技場内の特定の遊技台の近傍に設置され、遊技者の貸出指示操作に応じて前記特定の遊技台で使用するための遊技媒体の貸出処理を行うものである。さらに、この遊技媒体貸出装置には、前記特定の遊技台以外の遊技台であって自装置の近傍に設置されている遊技台から、その遊技台が当たり状態にあることを示す当たり状態信号を受け付ける信号入力手段と、前記信号入力手段が当たり状態信号を受け付けてから所定時間以内に前記貸出指示操作を受け付けたとき、前記遊技媒体の貸出処理に加えて、遊技者に所定の特典を付与するための制御を実行する制御手段とが、設けられる。
【０００９】
上記において、遊技媒体貸出装置は、特定の遊技台と当たり状態信号の送り側の遊技台とに挟まれる「台間機」として構成されるのが望ましい。ただし、これに限らず、たとえば、２台の遊技台を隣接して配置し、遊技媒体貸出装置を、特定の遊技台の上方に配置してもよい。
また、この遊技媒体貸出装置は、貸出し対象の遊技台に電気接続され、その遊技台に遊技媒体を払い出させたり、所定数の遊技媒体を電子データとして貯留する処理を行わせるものであるのが望ましい。ただし、これに限らず、遊技媒体貸出装置自体が実物の遊技媒体を払い出すようにしてもよい。
【００１０】
「遊技者の貸出指示」は、たとえば、スイッチの操作として行われるが、これに限らず、貨幣やカードを投入する操作により行うこともできる。
「当たり状態を示す信号」は、当たりが成立して特別のゲームが実行される状態になったことを示す信号のほか、当たりが生じる確率が通常よりも高められた状態（確変状態）になったことを示す信号であってもよい。いずれの場合も、遊技台から出される信号がオン状態になったとき（たとえば信号のレベルがローレベルからハイレベルになったとき）に「信号入力手段が当たり状態信号を受け付けた」状態となる。
【００１１】
遊技媒体貸出装置は、「遊技者に特典を付与するための制御」として、たとえば、遊技媒体の通常の貸出に加えて、特別枠分の遊技媒体を貸し出す処理を実行することができる。また、カードを受け付けて貸出処理を行う場合であれば、受け付けたカードに度数データを上乗せしてもよい。また会員カードなどの特別のカードを受け付けたことを条件として、このカードに貸出処理に使用される以外の特典データ（たとえばサービスポイント）を書き込んでもよい。
【００１２】
上記構成の遊技媒体貸出装置によれば、貸出しの対象ではないが、近傍に設置されている遊技台で当たり状態が発生したとき、その遊技台からの当たり状態信号に応じて遊技者に特典を付与することができる。したがって、遊技者は、近傍の遊技者が当たりを引き当てた場合には、気落ちするより、むしろ期待感を高めるようになる。
【００１３】
つぎに、この発明にかかる第１の遊技場システムは、複数の遊技台と、これらの遊技台毎に対応づけられた複数の遊技媒体貸出装置とを備えたものである。各遊技媒体貸出装置は、それぞれ対応する遊技台の近傍に設置され、遊技者の貸出指示操作に応じて前記対応する遊技台で使用するための遊技媒体の貸出処理を行う。
さらに各遊技台には、それぞれ自装置が当たり状態にあることを示す当たり状態信号を出力する信号出力手段が設けられている。各遊技台からの当たり状態信号は、それぞれその遊技台には対応しないが当該遊技台の近傍に設置されている少なくとも１台の遊技媒体貸出装置に入力される。各遊技媒体貸出装置は、当たり状態信号を受け付ける信号入力手段と、前記信号入力手段が当たり状態信号を受け付けてから所定時間以内に前記遊技者の貸出指示操作を受け付けたとき、遊技者に所定の特典を付与するための制御を実行する特典付与手段とが、設けられる。
【００１４】
この発明にかかる第２の遊技場システムには、上記の遊技媒体貸出装置、遊技台に加え、管理装置が含まれる。
このシステムでは、各遊技台からの当たり状態信号は、管理装置に入力される。管理装置は、いずれかの遊技台から当たり状態信号を受け付けたとき、その遊技台には対応しないが当該遊技台の近傍に設置されている少なくとも１台の遊技媒体貸出装置に、特典の付与を求める要求信号を送信する。各遊技媒体貸出装置は、前記管理装置からの要求信号を受け付ける信号入力手段と、前記信号入力手段が前記要求信号を受け付けてから所定時間以内に前記遊技者による貸出指示がなされたとき、前記遊技者に所定の特典を付与するための制御を実行する特典付与手段とが、備けられる。
【００１５】
上記第１、第２の遊技場システムによれば、遊技場内の所定の遊技台が当たり状態となったとき、その遊技台の近傍にある少なくとも１台の遊技台を使用する遊技者に、所定の特典を付与することが可能になる。
【発明の効果】
【００１６】
この発明によれば、所定の遊技台で当たり状態が発生した場合に、その近傍の遊技台を使用する遊技者にも、当たり状態に付随した特典を付与することができるので、遊技者は、当たりが発生した遊技台の近くの遊技台の使用を打ち切ったり、敬遠したりせず、むしろ、そのような遊技台を積極的に使用するようになる。よって、遊技場の稼働率を向上することができ、遊技場の利益を上げることができる。
また、当たり状態が生じた場合には、その当たりを引き当てた遊技者のみならず、その近くの遊技者も満足感を得ることができるから、遊技場内の雰囲気をなごやかにすることができる。
【発明を実施するための最良の形態】
【００１７】
図１は、この発明の一実施例に係る遊技場システムの概略構成を示す。
この遊技場には、複数の遊技台１０を含む島９が複数設けられている。各遊技台１０は、パチンコ機やスロットマシンなどの遊技機により構成されるもので、左隣には、遊技媒体の貸出のための台間機２が配備されている。さらに、この遊技場には、各台間機２で使用可能なカードを発行するためのカード発行機３、会員向けカード（会員カード）への入金処理のための入金機４、カードの残り度数を精算するための精算機５などが配備される。
【００１８】
さらに遊技場の適所には、２台の管理装置８Ａ，８Ｂが設けられる。これらの管理装置８Ａ，８Ｂは、それぞれ通信回線７Ａ，７Ｂに接続されている。これらの通信回線７Ａ，７Ｂは、中継装置６Ａ，６Ｂにより島９毎に分岐されている。
【００１９】
第１の管理装置６Ａは、場内で発行されたカードの情報やその使用状態を管理するためのもので、台間機２のほか、カード発行機３、入金機４、精算機５が接続される。
第２の管理装置６Ｂは、各遊技台１０の外部端子板からの遊技状態信号を受け付け、これらを処理することにより、個々の遊技台１０の稼動状態を管理する。なお、遊技状態信号には、遊技台１０が当たり状態になったことを示す信号（後記する大当たり信号のほか、特典の低い当たりの発生を示す小当たり信号も含まれる。）や、確変状態になったことを示す信号（確変信号）などが出力される。
【００２０】
この実施例の台間機２は、磁気カードまたはＩＣカードを受け付け、そのカードに記録された度数データを消費して遊技媒体の貸出を行うタイプのものである。また右隣の遊技台１０の機能を用いて遊技媒体の貸出処理を行うため、この遊技台１０に電気接続されている。さらに、この実施例の台間機２には、紙幣を受け付けてその紙幣の価値分の度数データが記録されたカードを発行する機能や、自装置が発行したカードの情報を記憶する機能が設定されている。
【００２１】
図２は、前記遊技島９の具体的な構成を示す。
この実施例の遊技台１０はパチンコ機１により構成されている。このパチンコ機１の前面には、透明ガラスに覆われた遊技盤１１、大当たりランプ１２、上下２段の受け皿１３，１４、発射ハンドル１５などが設けられている。また上側の受け皿１３には、貸出スイッチ１６、返却スイッチ１７、残度数表示器１８、貸出可ランプ１９が設けられる。
【００２２】
台間機２の前面には、紙幣投入口２１、カード出入口２２、情報表示用の液晶パネル２３などが設けられる。紙幣投入口２１の背後には、紙幣の真偽判別機能を有する紙幣処理部２４（図３に示す。）が、カード出入口２２の背後には、カードに対する読み書き処理機能を備えたカード処理部２５が、それぞれ設けられる。
【００２３】
図３は、前記台間機２およびパチンコ機１の主要な電気構成を示す。
台間機２には、マイクロコンピュータによる制御部２０が組み込まれる。この制御部には、前記したカード処理部２５、紙幣処理部２４、液晶パネル２３のほか、通信インターフェース２６や大当たり信号受信部２７などが接続される。また、パチンコ機１側の貸出スイッチ１６、返却スイッチ１７、残度数表示器１８、貸出可ランプ１９も、パチンコ機１内の中継基板１０２を介して制御部２０に接続される。
【００２４】
パチンコ機１には、ゲームの主要な制御を担当する主制御部１０５のほか、パチンコ球の払出制御専用の制御部（払出制御部）１０６や、図示しない演出処理用の制御部など、複数の副制御部が設けられる。いずれの制御部もマイクロコンピュータにより構成される。
主制御部１０５には、前記発射ハンドル１５や大当たりランプ１２のほか、遊技盤の入賞孔（図示せず。）に入ったパチンコ球を検出するための入賞球センサ１０４などが接続される。また払出制御部１０６には、パチンコ球の払出機構１０７のほか、前記した外部端子板１０２が接続される。払出制御部１０６は、パチンコ球の払出指示を受けてパチンコ球払出機構１０７を駆動し、所定数のパチンコ球を払出させる。また、主制御部１０５から大当たり信号等の遊技状態信号を受けたときは、特別の払出制御を行うとともに、受け取った遊技状態信号を外部端子板１０３から出力する。
【００２５】
パチンコ機１，台間機２には、中継基板２０１，１０１が設けられる。パチンコ球の貸出の際には、これらの中継基板２０１，１０１の間で貸出指示信号と貸出終了信号とが所定回数やりとりされる。
【００２６】
前記台間機２のカード処理部２５には、カードの収容部（図示せず。）が含まれている。制御部２０は、紙幣処理部２４が紙幣を受け付けると、カード処理部２５を駆動し、収容されているカードに投入紙幣の価値に対応する度数データ（１０００円につき１０度）を書き込ませて、カード出入口２２より搬出させる。またカード処理部２５がカードを受け付けると、そのカードの記録情報に対する照合を行った後に、１０００円分の度数を引き落とし、右隣のパチンコ機１に、引き落とした度数に対応する回数分、貸出指示信号を送信する。パチンコ機１は、貸出指示信号を受ける都度、受け皿１３に所定数（たとえば５個）のパチンコ球を放出し、台間機２に貸出終了信号を返送する。
なお、台間機２では、自装置で発行したカードのほか、他の台間機２やカード発行機３で発行されたカード、ならびに図示しない専用の装置で作成された会員カードを受け付けることができる。これらのカードの発行、書き換え、照合等に関する処理は、前出の特許文献１に記載されているものと同様であるので、この明細書では詳細な説明を省略する。
【００２７】
さらにこの実施例では、前記パチンコ機１の外部端子板１０３からの遊技状態信号のうち、大当たり信号の信号線を分岐させて、その分岐線を右隣の遊技台用の台間機２の大当たり信号受信部に接続するようにしている。
【００２８】
大当たり信号は、大当たりの成立に応じてオン状態となり、その後も、大当たりゲームが終了するまでオン状態が維持される。
【００２９】
大当たりゲームに入ると、図２中の２番目のパチンコ機１Ａのように、大当たりランプが点灯し、種々の効果音や楽曲などを用いた演出が行われる。したがって大当たりの成立した遊技台１０はにぎやかな状態になるので、その隣の遊技台１０が当たりの出ない状態であると、その台の遊技者は、非常にくやしい思いをし、ゲームをしづらい状態になる。また、この隣の遊技台１０が空いている場合でも、一般に大当たりゲームが終了するまでは、その遊技台は敬遠される傾向がある。
【００３０】
そこで、この実施例では、所定のパチンコ機１で大当たり信号がオン状態になったとき、その大当たり信号を受信する台間機２において、大当たり信号がオン状態になってから所定時間が経過するまでの間に行われた貸出指示操作に対し、通常の貸出に加えて、所定数の追加のパチンコ球を貸し出すようにしている。以下、この追加のパチンコ球を含む貸出処理のことを「特別球貸」という。
【００３１】
さらに、この特別球貸が行われる期間には、前面の液晶パネル２３に図４（１）または（２）に示すようなメッセージを表示する。この表示により、遊技者は、左隣の遊技台１０で大当たりが発生したことに伴い、自分の遊技台１０で特別球貸が開始されることを認識し、進んでカードの投入や貸出スイッチ１６の操作を行うようになる。また、大当たりの出た遊技台１０の隣が空いている場合には、空き台を探す遊技者をその遊技台１０に誘導することができる。
【００３２】
なお、特別球貸で貸し出すパチンコ球の数は、遊技場に損失が生じない範囲にとどめるのが望ましい。たとえば、通常は、１０００円（１０度数）につき２５０個のパチンコ球を貸し出している遊技場が、パチンコ球１個につき２．５円の換金レートを設定している場合、パチンコ球の追加数を１５０個までにすれば、仮に特別球貸を受けた遊技者がそのまま換金処理を行っても、１０００円に交換できるだけであり、遊技場には損失は生じない。
【００３３】
以下、図５，６を用いて、台間機２で行われる処理を詳細に説明する。
まず図５は、台間機２の通常の処理、すなわち大当たり信号がオン状態になっていない状態下で実行される処理の流れである。この処理を実行する間に、パチンコ機１からの大当たり信号がオン状態になると、図６の特別制御に移行する。
【００３４】
紙幣もカードも投入されていない状態の台間機２に紙幣が投入されると、紙幣投入部２４がこれを受け付けた時点で、図５の最初のＳＴ１０１（ＳＴは「ステップ」の略である。以下も同じ。）が「ＹＥＳ」となり、ＳＴ１０２に進む。ＳＴ１０２では、カード処理部２５を駆動し、収容されているカードに、受け付けた金額分の度数データを書き込んで発行する。
【００３５】
一方、ＳＴ１０２で発行されたカード、または他の台間機２やカード発行機３で発行されたカードもしくは会員カードが投入されると、ＳＴ１０３が「ＹＥＳ」となり、ＳＴ１０４に進む。
【００３６】
ＳＴ１０４では、受け付けたカードの残度数をチェックする。ここで残度数がゼロでない場合には、ＳＴ１０５に進み、カードの度数データを、現在の度数から所定単位度数（たとえば５度）を差し引いた値に更新する。そしてＳＴ１０７において、あらかじめ定めた基準数（たとえば２５０）分のパチンコ球を貸し出す処理を実行する。なお、カードの残度数は前記残度数表示器１８に表示される。さらにその残度数がゼロでない場合には、前記貸出可ランプ１９が点灯する。
【００３７】
貸出処理後のカードの残度数がゼロでなければ、ＳＴ１０８が「ＮＯ」となる。以下、貸出スイッチ１６または返却スイッチ１７が操作されるまで、ＳＴ１０９，ＳＴ１１０，ＳＴ１１２によるループを繰り返す。ここで再び貸出スイッチ１６が操作されると、ＳＴ１０９が「ＹＥＳ」となってＳＴ１０５に戻り、再度、度数データの更新およびパチンコ球の貸出処理が行われる。
【００３８】
一方、返却スイッチ１７が操作された場合には、ＳＴ１１０が「ＹＥＳ」となってＳＴ１１１に進み、カード出入口２２にカードを排出する。また貸出後のカードの残度数がゼロになったときは、ＳＴ１０８が「ＹＥＳ」となり、同様にＳＴ１１１に進んでカードを排出する。また投入された時点でのカードの残度数が既にゼロであったときには、ＳＴ１０４が「ＹＥＳ」となった後に、同じくＳＴ１１１のカードの排出処理が実行される。
【００３９】
上記の流れでは、カードを受け付けて度数データを更新した後、貸出処理後にカードを受け付けた状態で貸出スイッチ１６および返却スイッチ１７の操作をチェックした後、および紙幣もカードも受け付けていないとき、の３箇所でそれぞれ大当たり信号をチェックしている（ＳＴ１０６，１１２，１１３）。これらのステップのいずれかにおいて、大当たり信号がオンになっていると、図６の特別制御が開始される。
【００４０】
特別制御時には、最初のＳＴ２０１において、計時処理を開始し、続くＳＴ２０２において、図４に示したようなメッセージの表示により特別球貸状態が開始された旨を報知する。なお、この報知は、特別球貸状態が終了するまで続けられる。
【００４１】
つぎのＳＴ２０３では、既にカードを受け付けた状態であるかどうかをチェックする。また、ＳＴ２０４では、既に度数データを更新したかどうかをチェックする。
図５のＳＴ１０６またはＳＴ１１２が「ＹＥＳ」となって特別制御に移行した場合には、ＳＴ２０３の判定は「ＹＥＳ」となる。また、ＳＴ１０６が「ＹＥＳ」となって特別制御に移行した場合には、既にＳＴ１０５で度数データが更新されているので、ＳＴ２０４が「ＹＥＳ」となる。この場合には、ＳＴ２０７に進み、特別球貸処理として、基準数に特別枠に相当する数を加えた数（たとえば４００）のパチンコ球を貸し出す。
【００４２】
通常処理のＳＴ１１２が「ＹＥＳ」となって特別制御に移行した場合には、ＳＴ２０４は「ＮＯ」となり、ＳＴ２０５に進む。ここで貸出スイッチ１６が操作されると、ＳＴ２０５が「ＹＥＳ」となってＳＴ２０６に進み、カードの度数データが更新され、しかる後にＳＴ２０７で特別球貸処理が実行される。
なお、ＳＴ２０６においてカードから差し引かれる度数は、通常処理のＳＴ１０５で差し引かれる度数と同じであるのは、言うまでもない。
【００４３】
貸出後のカードの残度数がゼロでなければ、ＳＴ２１１において、ＳＴ２０１の計時開始からの経過時間が所定値Ｔに達していないかどうかをチェックする。この判定が「ＮＯ」であれば、ＳＴ２０５に戻る。よって、Ｔ時間が経過するまでであれば、遊技者は、貸出スイッチ１６の操作を繰り返すことにより、複数回の特別球貸を受けることができる。
【００４４】
カードを受け付けていない状態下で特別制御に移行したときには、ＳＴ２０３が「ＮＯ」となった後に、ＳＴ２１２以下の処理が実行される。
まず、Ｔ時間が経過する前に紙幣が投入されると、ＳＴ２１３が「ＹＥＳ」となってＳＴ２１４に進み、カードの発行処理が実行される。また、Ｔ時間が経過する前にカードが投入されると、ＳＴ２１６が「ＹＥＳ」、ＳＴ２１７が「ＮＯ」となり、ＳＴ２０６に移行する。よって、度数データの更新後にＳＴ２０７の特別球貸処理が実行されることになる。ただし、投入されたカードの残度数がゼロの場合には、ＳＴ２１７が「ＮＯ」となってＳＴ２１８に進み、投入されたカードが排出される。
【００４５】
特別球貸処理の実行後にカードの残度数がゼロになった場合（ＳＴ２０８が「ＹＥＳ」の場合）や、返却スイッチ１７が操作された場合（ＳＴ２０９が「ＹＥＳ」の場合）は、ＳＴ２１０に進み、カードを排出した後に、ＳＴ２１２に進む。この場合にも、Ｔ時間が経過していなければ、再びカードを投入することにより、ＳＴ２１６，２１７からＳＴ２０６に進む手順が実行されて、再び特別球貸処理が実行される。
【００４６】
しかし、紙幣またはカードが投入される前にＴ時間が経過した場合には、ＳＴ２１２またはＳＴ２１５が「ＹＥＳ」となる。この場合にはＳＴ２１９に進んで特別球貸状態の報知を終了した後に、通常処理のＳＴ１０１に戻る。
【００４７】
また特別球貸処理の実行後も、カードに度数が残っている状態下において、貸出スイッチ１６を再度操作するより前にＴ時間が経過した場合には、ＳＴ２１１が「ＹＥＳ」となり、ＳＴ２２０で報知を終了した後に通常処理のＳＴ１０９に戻る。よって、特別制御の終了直後に貸出スイッチ１６が操作されても、基準数のパチンコ球しか貸し出されない状態となる。
【００４８】
上記の手順によれば、大当たりが成立してからの経過時間がＴ時間以内であれば、遊技者は何度でも特別球貸を受けることができる。よって、大当たりの成立時点に、その隣の遊技台を使用する遊技者がいた場合には、その遊技者は多量のパチンコ球の貸出を受けることができる。
【００４９】
ただし、特別球貸の回数があまりに多くなると、遊技者に過度の特典が付与されてしまう。このようなおそれがある場合には、前記Ｔの値を調整するのが望ましい。またはつぎの図７に示すように、特別球貸の実行回数に制限を設けるようにするとよい。
【００５０】
図７に示す特別制御は、基本的には図６と同様の流れで進行するものであるため、図６と同じ処理には同じステップ番号をつけ、新たに追加したステップをＳＴ２５１、２５２，２５３として、そのステップ番号を枠で囲んで示している。
【００５１】
この実施例は、特別球貸処理に使用可能な度数を５０度までに制限するとともに、１回分の特別球貸で１０度を引き落とすようにしている。
ＳＴ２０１，２０２の後に追加されたＳＴ２５１は、使用可能度数Ａに初期値５０を設定している。またＳＴ２０６の度数データの更新処理の後のＳＴ２５２では、使用可能度数Ａを、現在値から１０を引いた値に更新する。
【００５２】
さらに、特別球貸が終了した後は、ＳＴ２５３において使用可能度数Ａの値をチェックし、Ａ＝０であればＳＴ２２０に移行する。よって、特別球貸の後の計時時間がＴ時間に達していない場合でも、特別球貸が５回実行された場合には、その時点で特別球貸状態の報知は終了し、通常処理に戻る。ただし、カードの残度数がゼロになっても、特別球貸の回数が５回より少ない場合には、紙幣の投入によりＳＴ２１４のカード発行処理を実行し、新たに発行されたカードを用いて特別球貸を受けることができる。
なお、この手順を実行する場合、使用可能度数Ａに代えて、貸出操作回数を計数し、その計数値が所定値（たとえば５）に達するまで特別球貸を実行できるようにしてもよい。
【００５３】
また、特別貸出時には、台間機２からパチンコ機１に出力する信号として、通常の貸出指示信号に代えて、特別貸出用の指示信号を出力し、この信号を外部端子板１０３から管理装置８Ｂに出力するようにしてもよい。このようにすれば、遊技場側で、特別貸出が実行された遊技台１０やその貸出回数を把握することができるから、特別貸出が過度に行われているような場合は、前記した貸出回数や得点付与処理の実行される時間長さの調整により対応することができる。
【００５４】
さらに、上記の実施例では、特別制御においては、遊技者のカード投入または貸出スイッチ１６の操作に応じて必ず特別球貸を行うようにしたが、これに代えて、カード投入や貸出スイッチ１６の操作に応じて抽選を行い、この抽選に当選したときのみ特別球貸を行うようにしてもよい。この場合、当選確率を調整することによって、遊技者の特典の上限値を調整することができるから、特別制御の時間Ｔ自体を長めに設定し、遊技者を惹きつけることが可能になる。
【００５５】
また、大当たり時処理時に遊技者が特定種類の紙幣（たとえば１０００円）を投入して新たなカードを発行した場合にのみ、そのカードによる特別球貸を行ったり、会員カードが投入された場合のみ特別球貸を行うなどの方法によって、特別球貸を制限してもよい。
【００５６】
なお、遊技台１０がスロットマシンにより構成される場合にも、台間機２は、図６，７と同様の特別制御を行うことができる。ただし、スロットマシンの場合には、そのクレジット機能を利用して、カードから差し引いた度数分のメダルを貯留させる制御を実行するので、特別制御時にも、通常より多くのメダルが貯留されるように制御することになる。
【００５７】
また、上記の実施例では、大当たりの成立した遊技台１０の隣の遊技台１０が使用されているか否かに関わらず、特別制御を実行するようにしたが、これに代えて、大当たりが成立する前の所定期間に隣の遊技台１０が使用されているときのみ、特別制御を実行するようにしてもよい。さらに、この所定期間に遊技者が獲得したパチンコ球やメダルの数が所定値以下である場合に限り、特別制御を実行するようにしてもよい。
このような制限を加えれば、ある程度の期間、利益が出ないのに同じ遊技台１０を使用し続けた遊技者に特典を与えることができるから、当たりの出にくい遊技台１０を選択してしまった遊技者のフラストレーションを解消することが可能になる。
【００５８】
また上記の実施例では、遊技媒体の貸出数に特別枠を設けることを遊技者への特典としたが、遊技媒体の貸出以外の特典を付与するようにしてもよい。
たとえば、会員カードを投入した場合には、そのカードのサービスポイントを加点するようにしてもよい。また台間機２にサービスチケットの発行機能を設ければ、一般カードが投入された場合にも、飲み物などのサービスチケットを発行することにより、遊技者への特典付与を行うことができる。
【００５９】
さらに、上記の実施例では、ある遊技台１０で大当たりが成立したとき、右隣の遊技台１０の遊技者に特典が付与されるようにしたが、島９の右端の遊技台１０で大当たりが成立した場合には、向かい側の遊技台１０の遊技者に特典を付与するようにしてもよい。
また、各遊技台１０からの大当たり信号を、左右両隣の遊技台１０の台間機２に入力して、大当たりの出た遊技台１０の両隣の遊技者に特典を付与するようにしてもよい。
【００６０】
また、遊技台１０からの大当たり信号を台間機２に入力するのに代えて、大当たり信号を受けた管理装置８Ｂが、その信号を出力した遊技台１０の隣の台の台間機２に特典付与の要求信号を出力し、この信号の入力に応じて特別制御を実行してもよい。この場合、管理装置８Ｂは、大当たりの成立した遊技台１０の両隣の遊技台１０の台間機２、または同じ島９にあるすべての遊技台１０の台間機２に対して特典付与の要求信号を出力することもできる。
さらに、管理装置８Ｂで制御を行う場合には、台間機２に代えて、遊技機１に特典付与の要求信号を出力してもよい。この場合には、台間機２側の制御は変わらないが、遊技機１の側で、貸出指示信号に対し、通常よりも多くのパチンコ球を払い出すことで特別貸出を行うことができる。
【図面の簡単な説明】
【００６１】
【図１】この発明が適用された遊技場システムの構成を示すブロック図である。
【図２】遊技島の具体例を示す斜視図である。
【図３】パチンコ機および台間機の構成を示すブロック図である。
【図４】特別貸出の報知表示が行われている状態を示す説明図である。
【図５】通常処理の流れを示すフローチャートである。
【図６】特別制御の流れを示すフローチャートである。
【図７】特別貸出の回数を制限した場合の特別制御の流れを示すフローチャートである。
【符号の説明】
【００６２】
１  パチンコ機
２  台間機
８Ｂ  管理装置
１０  遊技台
１６  貸出スイッチ
２０  制御部
２２  カード出入口
２７  大当たり信号受信部
１０３  外部端子板
１０６  払出制御部
【図１】
2007282924.tif 000003
【図２】
2007282924.tif 000004
【図３】
2007282924.tif 000005
【図４】
2007282924.tif 000006
【図５】
2007282924.tif 000007
【図６】
2007282924.tif 000008
【図７】
2007282924.tif 000009